(57)【要約】【課題】パチンコホールの遊戯島に付設された灰皿穴の開口部を利用し、開口部の蓋としても機能する携帯端末の充電装置を提供する。【解決手段】遊戯島に付設された灰皿穴の開口部に収納しうるベース枠（１）を基本とし、そのベース枠（１）の内郭部（１ｌ）に収納・露出選択自在の携帯端末の充電機能を有するコネクター部（Ａ）が保持されている。コネクター部（Ａ）が収納状態の時は、ベース枠（１）上部の曲面部（１ｍ）とカバープレート（２）の上面部（２ａ）、及び、コネクタートップケース（３）上部の平面プレート（３ａ）とロックボタン（５）上部の平面部（５ｉ）とが複合形成された平面プレートとなり灰皿穴の開口部を塞ぐ蓋として機能し、コネクター部（Ａ）が露出状態では、コネクター部（Ａ）の外郭部前面略中央に位置するＵＳＢコネクター挿入口（７ａ）が遊戯者の目線で覗き見ることのない角度で、容易にＵＳＢ充電ケーブルの接続ができる。【選択図】図１
2020188987.tif 000002
【特許請求の範囲】
【請求項１】
パチンコホールの遊戯島前面に位置する膳板部天面の遊戯台毎に付設されている吸殻回収用の灰皿穴開口部を、遊戯台等の機器の入替作業や、膳板部天面に付設されている玉箱の上げ下ろし作業、及び、清掃時等の作業の妨げにならない薄さで塞ぐ見栄えの良い蓋として機能する、携帯端末の充電装置（図１）。
【請求項２】
請求項１の機能を有し、更に、遊戯者が携帯している携帯端末の充電を遊戯者の目前で遊戯しながら容易に充電できる、灰皿穴の開口部を利用した携帯端末の充電装置（図１）。
【発明の詳細な説明】
【技術分野】
【０００１】
本願発明は、パチンコホールの遊戯島に付設されている灰皿穴を利用した携帯端末の充電装置に関するものである。
【背景技術】
【０００２】
現在、パチンコホール内での遊戯者の遊戯中の喫煙による吸殻回収の処理としては、パチンコ・パチスロ機の遊戯島膳板部の遊戯台毎に相応し付設されている灰皿にて処理されている。
【０００３】
その灰皿設備には、容易に回収できる単体の灰皿を付設している場合と、吸殻回収設備の灰皿として実用新案登録第３１１５２４３号広報（特許文献１）の自動吸殻回収装置や、特開２００８−２５３３６３号公報（特許文献２）の吸殻回収装置として図３１に示す遊戯島（１７）前面の膳板部（１９）天面（１９ａ）に遊戯台（１８）毎に灰皿穴（２０）を開口し、その開口部（２０ａ）を利用した吸殻回収設備の灰皿の二通りがある。
【０００４】
しかし、受動喫煙防止法が、２０２０年４月１日より施行されることから、遊戯場内の喫煙が喫煙室以外禁止されることとなり、遊戯場内から灰皿の撤去等の処置が必要となった。
【０００５】
灰皿撤去処理では、前記記載の容易に回収できる単体の灰皿の場合は、単体の灰皿を撤去するのみで対応は可能である。しかし、吸殻回収設備等で付設された灰皿穴の場合は、吸殻回収設備機材の撤去はされるが、遊戯島（１７）前面の膳板部（１９）天面（１９ａ）に遊戯台（１８）毎に灰皿用として開口貫通された開口部（２０ａ）はそのまま残ることになり、その灰皿穴（２０）の開口部（２０ａ）を完全に撤去するには、膳板部（１９）の交換工事等、膨大な費用と工事日数を要することになり、事実上不可能である。
【先行技術文献】
【特許文献】
【０００６】
【特許文献１】実用新案登録第３１１５２４３号広報
【特許文献２】特開２００８−２５３３６３号公報
【発明の概要】
【発明が解決しようとする課題】
【０００７】
しかし、遊戯島（１７）前面の膳板部（１９）天面（１９ａ）に遊戯台（１８）毎に付設された灰皿穴（２０）の開口部（２０ａ）を撤去することなく、開口部（２０ａ）を塞ぐ設備においては、遊戯台（１８）等の機器の入替作業や膳板部（１９）天面（１９ａ）に付設された玉箱（不図示）の上げ下ろし作業、及び、膳板部（１９）天面（１９ａ）の清掃作業等、作業の弊害にならない設備が必要となる。
【０００８】
又、安易に灰皿穴（２０）の開口部（２０ａ）をカバー出来る厚紙等で塞いだ場合、遊戯者による、見栄えによる風評の元となり集客率に影響を及ぼす原因となる。
【課題を解決するための手段】
【０００９】
そこで、吸殻回収設備等で付設された灰皿穴（２０）の開口部（２０ａ）を撤去することなく、開口部（２０ａ）を見栄え良く容易に塞ぐ蓋の機能を第一の機能とし、更に、遊戯者が長時間遊戯している間に発生しうる、遊戯者が携帯している携帯端末蓄電池の消耗に対して、携帯端末蓄電池の充電機能を第二の機能としていることが特徴である。
【００１０】
本願発明は、前記背景技術に鑑みて発明されたもので、前記記載の第一の機能である灰皿穴（２０）の開口部（２０ａ）を見栄え良く容易に塞ぐ蓋の機能を有していることと、第二の機能として携帯端末を充電する為のＵＳＢ充電ケーブルのＵＳＢ雄コネクター（不図示）が容易に接続でき、携帯端末を充電できる機能を有する図１の携帯端末の充電装置（以後、本装置）を提供できることが特徴である。
【発明の効果】
【００１１】
本願発明の本装置は、ベース枠（１）の外郭部（１ｋ）が灰皿穴（２０）の開口部（２０ａ）の内径に収まる形状で設計されており、ベース枠（１）の内郭部（１ｌ）に図６のコネクター部（Ａ）が収納状態（コネクター部（Ａ）がベース枠（１）の内郭部（１ｌ）内に位置させることを以後、「収納」、又は「収納状態」と言う）に保持されている。このコネクター部（Ａ）を構成する枠体のコネクタートップケース（３）最上部に位置する平面プレート（３ａ）とベース枠（１）のプレート部（１ｏ）上部の曲面部（１ｍ）、ロックボタン（５）の上部に位置する平面部（５ｉ）、及び、カバープレート（２）の上面部（２ａ）とが複合形成された平面プレートとして、膳板部（１９）上面（１９ａ）と並行して灰皿穴（２０）の開口部（２０ａ）を塞ぐ、見栄えの良い蓋として機能する。
【００１２】
又、携帯端末の充電器として本装置を使用する場合は、本装置のベース枠（１）上部前面の格納部（１ｉ）に格納されたロックボタン（５）の上部に位置する平面部（５ｉ）上の滑り止め突起部（５ａ）を、指で遊戯者本人側（後方）へスライドさせることで本装置のコネクター部（Ａ）を保持状態から、膳板部（１９）天面（１９ａ）上にコネクター部（Ａ）のＵＳＢコネクター挿入口（７ａ）を前面に、ゆるやかな角度をもって露出させて充電装置として使用できる。
【発明を実施するための最良の形態】
【００１３】
以下に、本願発明について図1から図３１を参照して説明する。先ず、本願発明の灰皿穴を利用した本装置を構成する各々の部品について図４を参照して説明を始める。本装置を構成する全ての枠体は、ポリカーボネート樹脂の素材で形成されており、ベース枠（1）が全ての基本である。ベース枠（１）の外郭部（１ｋ）が図３１にある島図（ｂ）の灰皿穴（２０）の開口部（２０ａ）内径に収まる枠体で設計されており、灰皿穴（２０）開口部（２０ａ）の内径は４０ｍｍから６０ｍｍが一般的であり、５０ｍｍ径が最も多く付設されている。そこで、本装置はその開口部（２０ａ）の内径が４５ｍｍ以上を対象とし、更に、膳板部（１９）天面（１９ａ）に付設された灰皿穴（２０）の円周上にある灰皿枠のビス穴（不図示）等をカバーできるように、ベース枠（1）のプレート部（１ｏ）の外径を設定している。但し、灰皿穴（２０）開口部（２０ａ）の内径の対象寸法は上記寸法に限定されるものではない。又、ベース枠（１）の取り付けは、膳板部（１９）天面（１９ａ）と固定ネジ等による取り付けでもよいが、本願発明では、灰皿穴（２０）開口部（２０ａ）の内径の略中心軸を基点に膳板部（１９）天面（１９ａ）にベース枠（１）のプレート部（１ｏ）裏面の凹段ポケット部（１ｎ）に片面を貼付された強力両面テープ（１６）をもって固定することとしている。強力両面テープ（１６）による固定を採用したことにより、パチンコホール従業員による付設も可能である。
【００１４】
図１３、図１４を参照してベース枠（１）を説明する。ベース枠（１）は、略中心部にコネクター部（Ａ）を収納できる内郭部（１ｌ）とコネクター部（Ａ）を膳板部（１９）天面（１９ａ）上に露出（コネクター部（Ａ）をベース枠（１）の内郭部（１ｌ）から膳板部（１９）天面（１９ａ）上に位置させることを以後、「露出」、又は「露出状態」と言う）させる場合の回転軸となるシャフト（９）の両端の軸受け（１ａ）、（１ｂ）を内郭部（１ｌ）後方に配備し、内郭部（１ｌ）前方にはコネクター部（Ａ）の露出、収納の係止を制御するロックボタン（５）の格納部（１ｉ）と、又、同じ格納部（１ｉ）内にロックボタン（５）を常にベース枠（１）の中心部に押し出す為の圧縮コイルスプリング（８）のスプリング受（１ｃ）を配備している。又、電源ケーブル用のケーブルダクト（１ｇ）及び、水抜き用開口部（１ｈ）を内郭部（１ｌ）の最低部略中央に配備し、カバープレート（２）との嵌合用ボスピン穴（１ｄ）、（１ｅ）、（１ｆ）をプレート部（１ｏ）上面の凹段ポケット部（１ｊ）に配備し、そして、コネクター部（Ａ）を露出させて携帯端末の充電器として使用する場合の回転係止面（１ｐ）を後方に配備している。
【００１５】
次に、図１５、図１６を参照してカバープレート（２）を説明する。カバープレート（２）は、灰皿穴（２０）の開口部（２０ａ）の蓋の一部となるカバープレート（２）の上面部（２ａ）を有し、裏面（２ｍ）にはベース枠（１）との嵌合用にボスピン（２ｄ）、（２ｅ）、（２ｆ）を配備し、裏面（２ｍ）後方にはコネクター部（Ａ）を露出させる場合の回転軸となるシャフト（９）両端の軸カバー（２ｂ）、（２ｃ）を配備し、ベース枠（１）の軸受け（１ａ）、（１ｂ）とを合わせて、シャフト（９）の両端を保持するように付設されている。又、カバープレート（２）裏面（２ｍ）前方にはロックボタン（５）の格納用開口部（２ｋ）と、ロックボタン（５）が前方に押し出された場合の移動リミッターとなる前方可動係止ブロック面（２ｉ）、（２ｊ）と、ロックボタン（５）の上方向への揺らぎ防止用プレート部（５ｇ）、（５ｈ）を上からカバーするプレート部（２ｇ）、（２ｈ）を配備している。
【００１６】
次に、図６から図１２を参照してコネクター部（Ａ）を構成する枠体を説明する。図６のコネクター部（Ａ）を構成する枠体は、コネクタートップケース（３）とコネクターボトムケース（４）、及び、図１２の基板部（Ｂ）から構成されている。コネクタートップケース（３）とコネクターボトムケース（４）は、固定ネジ（１２）、（１３）にて締付嵌合されている。又、コネクタートップケース（３）前面外郭壁（３ｍ）、及び、コネクターボトムケース（４）の前面外郭壁（４ｂ）が略同一面でコネクタートップケース（３）の最上部に位置する平面プレート（３ａ）に対して垂直方向に１０度、水平方向に１００度となる傾斜面で形成されている。又、コネクタートップケース（３）の側面外郭壁（３ｎ）とコネクターボトムケース（４）の側面外郭壁（４ｇ）が略同一面で形成され、コネクタートップケース（３）の外郭壁とコネクターボトムケース（４）の外郭壁が前後に緩やかな角度を持った略長方体で形成されている。但し、同傾斜面の角度は上記角度に限定するものではない。
【００１７】
そして、コネクタートップケース（３）には基板部（Ｂ）を保持するためにコネクタートップケース（３）内郭部前方にはボスピン（３ｇ）、（３ｈ）と基準面（３ｉ）、（３ｊ）を付設し、内郭部後方には台座ブロックの平面部（３ｋ）、（３ｌ）が付設されている。又、コネクタートップケース（３）後方には、電源用ハーネス（１５）を通すために開口部（３ｌ）を外郭部後方の略中央部に配備し、その開口部（３ｌ）の両外に隣接してバネ体（１０）、（１１）のアーム保持用の開口部（３ｏ）、（３ｐ）を配備し、更に、後方に軸受けブロック（３ｅ）を設け、その軸受けブロック（３ｅ）に貫通孔（３ｆ）を配備し、その貫通孔（３ｆ）にシャフト（９）とシャフト（９）両端にバネ体（１０）、（１１）の付帯を可能としている。又、軸受けブロック（３ｅ）の後方にはコネクタートップケース（３）の最上部に位置する平面プレート（３ａ）と９０度の角度で垂直面（３ｄ）が付設されている。
【００１８】
又、コネクターボトムケース（４）はコネクターボトムケース（４）の前面外郭壁（４ｂ）下方にコネクター部（Ａ）を露出状態とした時に、ロックボタン（５）先端のキー凸部（５ｂ）との係止嵌合用として略Ｖ字凹部（４ａ）を付設し、コネクターボトムケース（４）の内郭部には、コネクタートップケース（３）との固定嵌合時の嵌合キーとなる勾配面を持つキーブロック（４ｅ）、（４ｆ）と、基板部（Ｂ）を構成する基板（６）を下方から支える壁片（４ｃ）、（４ｄ）と、内郭部後方に電源用ハーネス（１５）を通すために開口部（４ｈ）が付設されている。
【００１９】
次に、図１０、図１２を参照して基板部（Ｂ）を説明する。基板部（Ｂ）は厚さ１．６ｍｍ、横幅２１ｍｍ、奥行１６ｍｍの略長方形の基板（６）を基本に、基板（６）表面（６ｋ）側後方略中央にはケーブル実装用に２．５ｍｍピッチの直径１．２ｍｍで＋５ＶＤＣライン用の貫通孔（６ｈ）とＧＮＤライン用の貫通孔（６ｉ）が付設され、その貫通孔（６ｈ）、（６ｉ）に電源用ハーネス（１５）が実装されており、基板（６）表面（６ｋ）略中央にはＵＳＢ  ２．０  Ｔｙｐｅ−Ａ  雌コネクター（７）が実装されている。このＵＳＢ  ２．０  Ｔｙｐｅ−Ａ  雌コネクター（７）の前面にはＵＳＢ充電ケーブルのＵＳＢ  ２．０  Ｔｙｐｅ−Ａ  雄コネクター（不図示）が挿入されるＵＳＢコネクター挿入口（７ａ）が開口しており、ＵＳＢコネクター挿入口（７ａ）内部にはＵＳＢ  ２．０  Ｔｙｐｅ−Ａ  雄コネクターのコンタクト部（不図示）と電気的に接続されるコンタクト部（７ｂ）に複数（例えば４本）のコンタクトピンが一列に配列されている。コンタクトピン番号は基板（６）の表面（６ｋ）を上としてＵＳＢコネクター挿入口（７ａ）内部のコンタクト部（７ｂ）を見た場合、右からコンタクトピン１、２，３，４となる。
【００２０】
又、基板（６）裏面（６ｊ）略中央には、抵抗器（６ｃ）、（６ｄ）、（６ｅ）、（６ｆ）とキャパシター（６ｇ）が実装されている。この抵抗器とキャパシターは携帯端末の充電を行う場合、ｉＯＳ系の携帯端末の充電には、充電信号としてＵＳＢ  ２．０  Ｔｙｐｅ−Ａのコンタクト部（７ｂ）のコンタクトピン２ピン（信号用−Ｄ）と３ピン(信号用＋Ｄ)間に信号用としたＤＣ電圧を供給する必要があり、電源用ハーネス（１５）で供給された＋５ＶＤＣの電圧をコンタクトピンの１ピン（電源用＋５ＶＤＣ）を介してコンタクトピンの２ピンと３ピン間に信号用となるＤＣ電圧を与えるための電気的回路として組み込まれている。Ａｎｄｒｏｉｄ系の携帯端末には、その機能は特に必要ではなく、コンタクト部（７ｂ）のコンタクトピンの１ピン（電源用＋５ＶＤＣ）と４ピン（電源用ＧＮＤ）間に＋５ＶＤＣの電圧を供給するだけで良い。但し、基板（６）の形状、及び、各寸法については上記の形状、及び、各寸法に限定するものではない。
【００２１】
次に、図２５、図２６を参照して電源用ハーネス（１５）と電源中継用コネクターのターミナル付きＤＣジャック（１４）を説明する。電源用ハーネス（１５）は、二線一対の片側異色マーク付きビニル平形コードＶＦＦ−０３ＳＱの規格品を採用しており、電源用ハーネス（１５）のケーブル仕上がり外径寸法は１．８ｍｍ、平横３．６ｍｍで、ケーブル長５００ｍｍとして使用する。二線一対の電源用ハーネス（１５）の基板（６）側は、末端より略５ｍｍの長さで二線一対を一線２本に分離し、更に各々一線のケーブル末端略２．５ｍｍの所でケーブルの非鉛ビニル樹脂の絶縁被覆を剥ぎ、可とう撚り線の導線を基板（６）表面（６ｋ）側後方略中央に位置する実装用の貫通孔（６ｈ）、（６ｉ）に実装している。
【００２２】
又、その二線一対の電源用ハーネス（１５）の逆側は、電源用ハーネス（１５）の末端より略１５ｍｍの長さで一対を一線２本に分離し、更に各々一線のケーブル末端略５ｍｍの所でケーブルの非鉛ビニル樹脂の絶縁被覆を剥ぎ、可とう撚り線の導線にはんだ付け処理を施した芯線とし、ターミナル付きＤＣジャック（１４）のターミナル部（１４ａ）のケーブル挿入口（１４ｄ）、（１４ｅ）に芯線を挿入し、ターミナル付きＤＣジャック（１４）のターミナル部（１４ａ）付設の固定ネジ（１４ｂ）、（１４ｃ）にて接合している。この二線一対の電源用ハーネス（１５）は各々一線に電源の極性を担うことから、二線一対の異色マーク付き側の一線を＋５ＶＤＣライン用として基板（６）表面（６ｋ）側後方略中央に位置する実装用の貫通孔（６ｈ）とターミナル付きＤＣジャック（１４）のターミナル部（１４ａ）のケーブル挿入口（１４ｅ）を一対向とし、又、二線一対の片側異色マークなしの一線をＧＮＤライン用として基板（６）表面（６ｋ）側後方略中央に位置する貫通孔（６ｉ）とターミナル付きＤＣジャック（１４）のターミナル部（１４ａ）のケーブル挿入口（１４ｄ）を一対向として接続している。尚、ターミナル付きＤＣジャック（１４）のコンタクト部（１４ｆ）は内径２．１ｍｍ，外径５．５ｍｍの規格品を使用している。但し、電源用ハーネス（１５）のケーブル規格や、ケーブルの長さ、その末端の処理方法、及び処理寸法等については、上記記載に限定したものではなく、又、電源中継用コネクターについても多種多様なコネクターがあり、ＤＣジャックに限定したものではない。
【００２３】
尚、ＤＣジャック部品の採用は一般的なハンダ付け等による端子接合で行うＤＣジャックでも良いが、本実施形態でターミナル付きＤＣジャック（１４）の部品を採用したのは、ベース枠（１）の最低部に付設されたケーブダクト（１ｇ）を介する必要があり、本装置組み立て工程の最後にＤＣジャックを取り付ける必要があり、詳細については別途説明する。
【００２４】
次に、図３０を参照して回転軸用のシャフト（９）とバネ体（１０）、（１１）を説明する。回転軸用のシャフト（９）は、軸径２．５ｍｍ、長さ２５ｍｍの鉄線ニッケルメッキ製の素材にて作成し、バネ体（１０）、（１１）は、ねじりバネで、今回の必要とするバネ体のアーム使用角度が９０度から１３０度であることからアームの自由角度１３５度のバネ体で巻数４巻きとし、寸法が内径３ｍｍ、線径０．６ｍｍ、アーム長１２ｍｍで、ばね用ステンレス鋼線の素材にて、右巻き、左巻きの左右の巻き方向で作成している。但し、シャフト（９）やバネ体（１０）、（１１）の寸法や形状については上記の各寸方や各形状に限定するものではない。
【００２５】
次に、本願発明の第一の実施形態について図３、図２０。図２８を参照して詳細な説明を行う。第一の実施形態は、本装置が携帯端末の充電器として使用しない場合の実施形態で、コネクター部（Ａ）が収納状態として保持されている状態で、灰皿穴（２０）の開口部（２０ａ）を塞ぐ蓋として機能することである。これは、ベース枠（１）のプレート部（１ｏ）上部側縁に半径３ｍｍの曲面部（１ｍ）を配備し、その曲面部（１ｍ）とカバープレート（２）上面部（２ａ）、及び、コネクター部（Ａ）を構成する枠体のコネクタートップケース（３）最上部に位置する平面プレート（３ａ）と、ロックボタン（５）の上部に位置する平面部（５ｉ）が複合形成された平面プレートとなり、その平面プレートが見栄えりよい蓋として機能する。複合形成された平面プレートは膳板部（１９）天面（１９ａ）から５．４５ｍｍの厚さで複合形成されており。複合形成されたプレート上面エッジ部に相応するベース枠（１）のプレート部（１ｏ）上部側縁の半径３ｍｍの曲面（１ｍ）が他からの衝突を和らげる効果も果たしている。但し、ベース枠（１）のプレート部（１ｏ）上部側縁の曲面部（１ｍ）の半径３ｍｍの寸法や、複合形成された平面プレートの複合形成方法、厚さ寸法については上記に限定するものではない。
【００２６】
この複合形成された平面プレートの５．４５ｍｍの厚さは、ベース枠（１）のプレート部（１ｏ）が厚さ５ｍｍで、そのプレート部（１ｏ）上面略中央に深さ２ｍｍの凹段ポケット部（１ｊ）が付設されており、その凹段ポケット部（１ｊ）内にプレート厚２ｍｍのカバープレート（２）が収まり、又、カバープレート（２）の略中央開口部（２ｌ）内にコネクター部（Ａ）を構成する枠体のコネクタートップケース（３）最上部に位置する厚さ２ｍｍの平面プレート（３ａ）が格納されており、カバープレート（２）の前方開口部（２ｋ）には、ロックボタン（５）の上部に位置する平面部（５ｉ）が格納状態で略同一面として５ｍｍ厚の複合プレートを形成している。又、ロックボタン（５）の上部に位置する平面部（５ｉ）上の滑り止め突起部（５ａ）の各々の突起が平面部（５ｉ）より０．３ｍｍの高さで配列されている。全体の厚さ５．４５ｍｍの残り０．１５ｍｍ厚は、ベースプレート（１）のプレート部（１ｏ）の裏面略中央に位置する所に深さ０．３ｍｍの凹段ポケット部（１ｎ）がありその凹段ポケット部（１ｎ）に厚さ０．４５ｍｍの強力両面テープ（１６）を格納することで、深さ０．３ｍｍの凹段ポケット部（１ｎ）からはみ出した両面テープの厚さが０．１５ｍｍであり、全てを統合した厚さが５．４５ｍｍである。但し、上記の各寸法は上記の各寸法に限定するものではない。
【００２７】
次に、本願発明の第二の実施形態について詳細な説明を行う。第二の実施形態は、本装置を携帯端末の充電器として機能する実施形態で、収納状態で保持されていたコネクター部（Ａ）を遊戯者の操作で露出させて充電器として使用できる機能であり、コネクター部（Ａ）の露出方法は、ベース枠（１）上部前面の格納部（１ｉ）に付設されたロックボタン（５）の上部に位置する平面部（５ｉ）上の滑り止め突起部（５ａ）を指で遊戯者本人側（後方）にスライドさせることでコネクター部（Ａ）を露出させることができる。ロックボタンを指で操作するのはこの場合のみである。
【００２８】
このロックボタン（５）の上部に位置する平面部（５ｉ）上の滑り止め突起部（５ａ）を指で後方にスライドさせることにより、図２１（ｂ）の図に示すコネクター部（Ａ）を構成する枠体のコネクタートップケース（３）の最上部に位置する平面プレート（３ａ）の前面直下の凹部（３ｂ）とロックボタン（５）先端のキー凸部（５ｂ）の係止嵌合が外れ、シャフト（９）を回転軸としてバネ体（１０）、（１１）の付勢によりコネクター部（Ａ）が水平面から時計回りに４０度回転し、図２７に示すようにコネクター部（Ａ）を構成する枠体のコネクタートップケース（３）前面外郭壁（３ｍ）とコネクターボトムケース（４）前面外郭壁（４ｂ）の略同一面がカバープレート（２）の上面部（２ａ）に対して６０度の角度で露出状態となる。但し、コネクター部（Ａ）がシャフト（９）を回転軸として水平面から時計回りに回転する角度と、コネクター部（Ａ）が露出状態となった時のコネクタートップケース（３）前面外郭壁（３ｍ）とコネクターボトムケース（４）前面外郭壁（４ｂ）の略同一面がカバープレート（２）の上面部（２ａ）に対する露出角度については上記の各々の角度に限定するものではない。
【００２９】
コネクター（Ａ）が露出状態として保持されるのは図２４（ｃ）、の図に示すコネクター部（Ａ）を構成する枠体のコネクタートップケース（３）の後方部に位置する垂直面（３ｄ）とベース枠（１）後方の回転係止面（１ｐ）とが接し係止状態となる。このベース枠（１）後方の回転係止面（１ｐ）によりコネクター部（Ａ）のシャフト（９）を回転軸とした回転は、４０度以上回転することはない。
【００３０】
しかし、コネクター部（Ａ）の時計回りの回転について前記説明のように４０度以上の回転は係止できるが、半時計回りについて係止しなければコネクター部（Ａ）を完全に露出状態で保持したことにはならない。そこで、図２４（ｃ）に示すようにコネクター部（Ａ）が時計回りに４０度回転して係止状態となった時、図２４（ｂ）の図に示すコネクター部（Ａ）を構成する枠体のコネクターボトムケース（４）の前面下方に付設された略Ｖ字凹部（４ａ）とロックボタン（５）先端のキー凸部（５ｂ）が係止嵌合状態となり、コネクター部（Ａ）は完全に露出状態として保持されたことになる。
【００３１】
ロックボタン（５）の後方へのスライド動作については、人為的に行う動作と、自動的に後方へスライドする動作とがある。ロックボタン（５）を人為的に後方へスライドさせる動作は前記説明のコネクター部（Ａ）を収納状態から露出状態に移行する場合のみであり、自動的にロックボタン（５）を後方へスライドさせる動作は力の分解による作用を応用したもので、ロックボタン（５）先端のキー凸部（５ｂ）の最先端傾斜面（５ｃ）が、ロックボタン（５）裏面の水平面（５ｆ）に対して６０度の角度の傾斜面で形成されており、この最先端傾斜面（５ｃ）に対して上から垂直に押下される力が働いた場合と、ロックボタン（５）先端のキー凸部（５ｂ）の最先端曲面部（５ｊ）に斜め上方向や斜め下方向から押す力が発生した場合に、力の分解作用により、その力が水平方向に分解された力としてロックボタン（５）自体が自動的に後方にスライド移動させる。但し、ロックボタン（５）先端のキー凸部（５ｂ）の最先端傾斜面（５ｃ）が、ロックボタン（５）裏面の水平面（５ｆ）に対する角度は上記角度に限定するものではない。
【００３２】
ロックボタン（５）先端のキー凸部（５ｂ）の最先端傾斜面（５ｃ）に垂直に押下する力が働くのは、コネクター部（Ａ）を露出状態から収納状態へ移行する場合で、図２２（ｂ）の図に示すようにコネクター部（Ａ）を構成する枠体のコネクタートップケース（３）の最上部に位置する平面プレート（３ａ）前面直下凹部（３ｂ）下の曲面部（３ｃ）と、ロックボタン（５）先端のキー凸部（５ｂ）の最先端傾斜面（５ｃ）がコネクター部（Ａ）の収納直前に面接合状態となった時に働く。
【００３３】
又、ロックボタン（５）先端のキー凸部（５ｂ）の最先端曲面部（５ｊ）に斜め上方向や斜め下方向から押す力が働くのは、図２３（ｂ）の図に示すようにコネクター部（Ａ）を収納状態から、露出状態とする場合と、その逆のコネクター部（Ａ）を露出状態から収納状態とする動作の過程で、コネクター部（Ａ）を構成する枠体のコネクターボトムケース（４）の前面外郭壁（４ｂ）がロックボタン（５）先端のキー凸部（５ｂ）の最先端曲面部（５ｊ）に面接合した場合に働く。
【００３４】
しかし、携帯端末の充電を行なう為の動作として携帯端末のＵＳＢ充電用ケーブルの雄コネクターを露出状態となったコネクター部（Ａ）の前面に配備されているＵＳＢコネクター挿入口（７ａ）に挿入する場合は、コネクター部（Ａ）前面の傾斜面に対して垂直に押す力が働く為、ロックボタン（５）先端のキー凸部（５ｂ）の最先端傾斜面（５ｃ）に対して力の分解による力の作用は働かず、図２４（ｂ）の図に示すコネクター部（Ａ）を構成する枠体のコネクターボトムケース（４）前面下方に付設された略Ｖ字凹部（４ａ）とロックボタン（５）先端のキー凸部（５ｂ）との係止嵌合に影響なくコネクター部（Ａ）の露出状態の保持は継続される。
【００３５】
尚、ロックボタン（５）は、人為的や力の分解作用による自動的に後方へスライド移動させる力が無くなると、ロックボタン（５）の裏面（５ｆ）に付設されている圧縮コイルスプリング（８）の付勢により自動的に前方に押し出され、カバープレート（２）の裏面（２ｍ）前方に付設されている前方可動係止ブロック面（２ｉ）、（２ｊ）と、ロックボタン（５）の上方への揺らぎ防止用プレート部（５ｇ）、（５ｈ）前方の係止面（５ｄ）、（５ｅ）が面接合してロックボタン（５）自体が係止し、コネクター部（Ａ）の露出や収納時の係止嵌合部との嵌合の為の待機状態となる。
【００３６】
次に、基板部（Ｂ）がコネクタートップケース（３）とコネクターボトムケース（４）の内郭部に格納される格納方法について詳細に説明する。コネクタートップケース（３）の内郭部に、基板（６）の格納位置を確定するためのボスピン（３ｇ）、（３ｈ）を配備し、そのボスピン（３ｇ）、（３ｈ）と基板（６）略前面のＵＳＢコネクター挿入口（７ａ）側に付設された二つのボス軸用開口部（６ａ）、（６ｂ）を嵌合させることで、コネクタートップケース（３）内郭部での基板（６）格納位置を確定している。このコネクタートップケース（３）内郭部のボスピン（３ｇ）、（３ｈ）は外径４ｍｍの基柱をベースにして、その基柱の略中間位に位置する高の面を基準面（３ｉ）、（３ｊ）として外径３ｍｍ、高さ２ｍｍの先細りの勾配を付した円柱のボスピン（３ｇ）、（３ｈ）で、基板（６）前面のＵＳＢコネクター挿入口（７ａ）側に付された二つの直径３ｍｍのボス軸用開口部（６ａ）、（６ｂ）の中心軸と略同軸にボス嵌合するように設計されている。但し、ボスピン（３ｇ）、（３ｈ）の基柱やボスピン（３ｇ）、（３ｈ）の外径寸法、基板（６）のボス軸用開口部（６ａ）、（６ｂ）の直径寸法は上記の各寸法に限定するものではない。
【００３７】
又、コネクタートップケース（３）の内郭部後方には、基板（６）裏面（６ｊ）の後方略両側縁部に相応する位置に台座ブロックの平面部（３ｋ）、（３ｌ）がボスピン（３ｇ）、（３ｈ）の基準面（３ｉ）、（３ｊ）と略同一面上に配備されている。このボスピン（３ｇ）、（３ｈ）の基準面（３ｉ）、（３ｊ）と台座ブロックの平面部（３ｋ）、（３ｌ）が基板（６）裏面（６ｊ）と水平に面接合して、前記説明のボス嵌合と合わせて、コネクタートップケース（３）の内郭部に基板（６）位置を確定させている。
【００３８】
そして、コネクターボトムケース（４）の内郭部に基板（６）の両横側縁部略中央に相応する位置に付設された壁片（４ｃ）、（４ｄ）の天面により下方から基板（６）の表面（６ｋ）側を略面接合で支えるように位置している。最終的に、コネクタートップケース（３）とコネクターボトムケース（４）を固定ネジ（１２）、（１３）にて固定嵌合されることにより、基板部（Ｂ）はコネクタートップケース（３）とコネクターボトムケース（４）の内郭部に完全に保持されることになる。
【００３９】
次に、電源用ハーネス（１５）のコネクター側にターミナル付きＤＣジャック（１４）を採用した理由について図１９、２０、及び、図２５を参照して詳細に説明する。本装置を携帯端末の充電器として使用する場合、コネクター部（Ａ）を露出させるが、コネクター部（Ａ）を露出状態にする動作を抵抗なくスムーズに露出させる必要がある。本装置のコネクター部（Ａ）を構成する枠体のコネクタートップケース（３）とコネクターボトムケース（４）の内郭部に保持されている基板部（Ｂ）を構成する基板（６）に実装されている電源用ハーネス（１５）が、電源用ハーネス（１５）の自重や外部要因から発生しうる電源用ハーネス（１５）を下方に引き下げるような力を排除しないと、コネクター部（Ａ）がシャフト（９）を回転軸としてバネ体（１０）、（１１）の付勢により露出方向に移行するが、その移行動作が電源用ハーネス（１５）の上記要因により下方に引き下げられる力が原因となり、収納状態から露出状態への移行がし難くなる。
【００４０】
そこで、ベース枠（１）の内郭部（１ｌ）内で必要とする電源用ハーネス（１５）のケーブル長を確保し、コネクター部（Ａ）が抵抗なく露出状態へ移行できるように、ベース枠（１）の内郭部（１ｌ）最低部にケーブルダクト（１ｇ）を配備し、そのケーブルダクト（１ｇ）を介することでベース枠（１）の内郭部（１ｌ）内で必要とする電源用ハーネス（１５）のケーブル長を確保することとした。必要とするケーブル長は２３．３ｍｍの長さで、２３．３ｍｍの長さは図２０と、図２５（ｃ）、（ｄ）にあるコネクター部（Ａ）が収納状態で保持されている時のケーブルダクト（１ｇ）上端のケーブル口（１ｑ）から基板（６）表面（６ｋ）側のケーブル実装用の貫通孔（６ｈ）、（６ｉ）までの長さであり、図からも判るようにケーブルに湾曲している部分があり、その部分にてケーブル長のルートロスが発生している。コネクター部（Ａ）を露出させる場合のケーブルダクト（１ｇ）上端のケーブル口（１ｑ）から基板（６）表面（６ｋ）側のケーブル実装用の貫通孔（６ｈ）、（６ｉ）までの長さは２２ｍｍである。このコネクター部（Ａ）の露出状態での電源用ハーネス（１５）の状態が図１９と図２５（ａ）、（ｂ）であり、同図からも判るようにケーブルダクト（１ｇ）上端のケーブル口（１ｑ）から垂直に、そして、最短で基板（６）表面（６ｋ）側のケーブル実装用の貫通孔（６ｈ）、（６ｉ）に到達できるようにケーブルダクト（１ｇ）を付設している。尚、ケーブルダクト（１ｇ）はケーブルダクト（１ｇ）上端のケーブル口（１ｑ）からベース枠（１）の外郭部（１k）側のケーブルダクト（１ｇ）出口部（１ｒ）までのダクト長５ｍｍ、ダクト内径２ｍｍ、横幅３．８ｍｍ、壁圧２ｍｍの略楕円形のダクトとして、前記説明の電源用ハーネス（１５）の外径寸方と鑑みて、最小限の間隙寸法でケーブルダクト（１ｇ）を設計している。
【００４１】
故にベース枠（１）の内郭部（１ｌ）内で必要とする電源用ハーネス（１５）のケーブル長は、長さ２３．３ｍｍを確保すれば、コネクター部（Ａ）を露出させる場合、ベース枠（１）の内郭部（１ｌ）内での電源用ハーネス（１５）のケーブル長で１．３ｍｍの余裕ができ、容易にコネクター部（Ａ）を露出させることができる。このケーブル長で１．３ｍｍの余裕ができたのは、前記で説明したコネクター部（Ａ）が収納状態で保持されている時の電源用ハーネス（１５）のケーブル姿において、ケーブルが湾曲してケーブル長のロスとなっていた長さが有効に機能している。
【００４２】
そこで、ベース枠（１）の内郭部（１ｌ）内で必要とするケーブル長を確保し易くする手段として、ベース枠（１）内郭部（１ｌ）の最低部にケーブルダクト（１ｇ）を付設し、ケーブルダクト（１ｇ）で電源用ハーネス（１５）を固定することにした。このケーブルダクト（１ｇ）の付設により、電源用ハーネス（１５）の敷設ルートでケーブルダクト（１ｇ）を介する必要があり、ケーブルダクト（１ｇ）を介した後に電源用ハーネス（１５）とＤＣジャックの接続が容易にできる、ターミナル付きＤＣジャック（１４）を採用した。
【００４３】
ケーブルダクト（１ｇ）を介した電源用ハーネス（１５）の固定方法は、多種多様な方法が考えられるが、今回は電源用ハーネス（１５）がベース枠（１）の外郭部（１ｋ）に出る、ケーブルダクト（１ｇ）の出口部（１ｒ）で接着剤にて固定する方法とした。基板部（Ｂ）を構成する基板（６）表面（６ｋ）側のケーブル実装用の貫通孔（６ｈ）、（６ｉ）からケーブルダクト（１ｇ）の出口部（１ｒ）までの間で確保する電源用ハーネス（１５）のケーブル長は、ベース枠（１）の内郭部（１ｌ）内で必要な２３．３ｍｍとケーブルダクト（１ｇ）のダクト長５ｍｍを加えた長さに、更なる余裕を考慮し、基板部（Ｂ）を構成する基板（６）表面（６ｋ）側のケーブル実装用の貫通孔（６ｈ）、（６ｉ）から３０ｍｍとし、その３０ｍｍのポイントにマークを付し、そのマークがケーブルダクト（１ｇ）を介してケーブルダクト（１ｇ）の出口部（１ｒ）に出たところでケーブルダクト（１ｇ）と電源用ハーネス（１５）を接着することにした。但し、ベース枠（１）の内郭部（１ｌ）内で必要とする電源用ハーネス（１５）のケーブル長やケーブルダクト（１ｇ）のダクト寸法、及び、基板部（Ｂ）を構成する基板（６）表面（６ｋ）側のケーブル実装用の貫通孔（６ｈ）、（６ｉ）からのケーブル長、等については上記の各々の寸法に限定するものではない。
【図面の簡単な説明】
【００４４】
【図１】本願発明の携帯端末の充電装置の図面であり、本装置を構成するコネクター部（Ａ）を露出状態としたＵＳＢコネクター挿入口（７ａ）を直視した一部破断せる正面斜視図である。
【図２】同上の、コネクター部（Ａ）を露出状態とした正面斜視図である。
【図３】同上の、コネクター部（Ａ）を収納状態とした正面斜視図である。
【図４】同上の、全部品の分解図である。
【図５】同上の、コネクター部（Ａ）を露出状態とした斜めから見た全部品組み立て斜視図である。
【図６】同上の、コネクター部（Ａ）を構成する枠体の分解図と斜めから見た組み立て斜視図である。
【図７】同上の、右側面図である。
【図８】同上の、前面の一部破断せる正面図である。
【図９】同上の、コネクタートップケース（３）の裏面図である。
【図１０】同上の、コネクタートップケース（３）の裏面内郭部に基板部（Ｂ）を組み込んだ図である。
【図１１】同上の、コネクター部（Ａ）を構成する枠体のコネクボトムケース（４）の内面図である。
【図１２】同上の、コネクター部（Ａ）を構成する枠体の内郭部に収納される基板部（Ｂ）の裏面図である。
【図１３】同上の、本装置を構成するベース枠（１）の表面図である。
【図１４】同上の、裏面図である。
【図１５】同上の、本装置を構成するカバープレート（２）の表面図である。
【図１６】同上の、裏面図である。
【図１７】同上の、本装置を構成するロックボタン（５）の表面拡大図である。
【図１８】同上の、裏面拡大図である。
【図１９】同上の、コネクター部（Ａ）を露出状態とした膳板部（１９）を含む右側面断面図である。
【図２０】同上の、コネクター部（Ａ）を収納状態とした膳板部（１９）を含む右側面断面図である。
【図２１】同上の、コネクター部（Ａ）を収納状態とした右側面断面図（ａ）と、その要部拡大図（ｂ）である。
【図２２】同上の、コネクター部（Ａ）の収納直前の右側面断面図（ａ）と、その要部拡大図（ｂ）である。
【図２３】同上の、コネクター部（Ａ）の収納・露出状態移行途中での右側面断面図（ａ）と、その要部拡大図（ｂ）である。
【図２４】同上の、コネクター部（Ａ）を露出状態とした右側面断面図（ａ）と、その要部拡大図（ｂ）、（ｃ）である。
【図２５】同上の、基板部（Ｂ）と電源用ハーネス（１５）、ターミナル付きＤＣジャック（１４）の接続図であり、（ａ）と（ｂ）はコネクター部（Ａ）を露出状態とした同上の側面図と正面図を示し、（ｃ）と（ｄ）はコネクター部（Ａ）を収納状態とした同上の側面図と正面図である。
【図２６】同上の、ターミナル付きＤＣジャック（１４）の一部破断せる斜め上から見た正面斜視図である。
【図２７】同上の、本装置のコネクター部（Ａ）を露出状態とした斜めから見た斜視図である。
【図２８】同上の、本装置のコネクター部（Ａ）を収納状態とした斜めから見た斜視図である。
【図２９】同上の、本装置のコネクター部（Ａ）後方の斜めから見た斜視図である。
【図３０】同上の、シャフト（９）、及び、バネ体（１０）、（１１）の斜視図で、（ａ）はコネクター部（Ａ）が収納状態でのバネ体（１０）、（１１）のアーム角度９０度の図で、（ｂ）はコネクター部（Ａ）が露出状態でのバネ体（１０）、（１１）のアーム角度１３０度の図である。
【図３１】パチンコホールの島図であり、（ａ）は島前面の図で、（ｂ）は要部拡大図である。
【符号の説明】
【００４５】
１    ベース枠
２    カバープレート
３    コネクタートップケース
４    コネクターボトムケース
５    ロックボタン
６    基板
７    ＵＳＢ  ２．０  Ｔｙｐｅ−Ａ  雌コネクター
８    圧縮コイルスプリング
９    シャフト
１０、１１    バネ体
１２、１３    固定ネジ
１４    ターミナル付きＤＣジャック
１５    電源用ハーネス
１６    強力両面テープ
１７    遊戯島
１８    遊戯台
１９    膳板部
１９ａ    膳板部の天面
２０    灰皿穴
２０ａ    灰皿穴の開口部
Ａ    コネクター部
Ｂ    基板部
【図１】
2020188987.tif 000003
【図２】
2020188987.tif 000004
【図３】
2020188987.tif 000005
【図４】
2020188987.tif 000006
【図５】
2020188987.tif 000007
【図６】
2020188987.tif 000008
【図７】
2020188987.tif 000009
【図８】
2020188987.tif 000010
【図９】
2020188987.tif 000011
【図１０】
2020188987.tif 000012
【図１１】
2020188987.tif 000013
【図１２】
2020188987.tif 000014
【図１３】
2020188987.tif 000015
【図１４】
2020188987.tif 000016
【図１５】
2020188987.tif 000017
【図１６】
2020188987.tif 000018
【図１７】
2020188987.tif 000019
【図１８】
2020188987.tif 000020
【図１９】
2020188987.tif 000021
【図２０】
2020188987.tif 000022
【図２１】
2020188987.tif 000023
【図２２】
2020188987.tif 000024
【図２３】
2020188987.tif 000025
【図２４】
2020188987.tif 000026
【図２５】
2020188987.tif 000027
【図２６】
2020188987.tif 000028
【図２７】
2020188987.tif 000029
【図２８】
2020188987.tif 000030
【図２９】
2020188987.tif 000031
【図３０】
2020188987.tif 000032
【図３１】
2020188987.tif 000033